(57)【特許請求の範囲】
【請求項１】
ストラップを衣類に取り付けるためのストラップ取付構造であって、
ストラップと、ストラップ係留具と、衣類側連結部とを含み、
前記ストラップ係留具は、円環状の本体と、
前記円環状の本体の内周部の一部から円環の中心を挟んで対向する内周部の一部へ向かって少なくとも前記円環の中心近傍に至る距離に相当する長さだけ突き出し、且つ、前記対向する内周部の一部に最も接近する先端が少なくとも弧状を呈するように形成され、且つ、前記突き出し方向と交差する方向の幅が前記円環状の本体の幅よりも大きく形成された突起部と、を含み、
前記突起部が設けられている部分を除いた前記円環状の本体の内周部は略Ｃ字状の空間を呈し、
前記突起部の先端部と、前記円環状の本体の内周部における前記先端部に対向する部分との間に一定の空隙が設けられており、
前記衣類側連結部は、前記衣類に固着され、
前記ストラップ係留具は、前記衣類の着用時において、前記係留されたストラップを傾けるべき方向側に前記突起部の先端部が位置するように配置され、
前記配置状態において、前記ストラップ係留具の前記突起部の上辺と、前記円環状の本体の上部との間に形成される前記の略Ｃ字状の空間に、前記ストラップの一端が挿通されて、前記ストラップの一端が前記円環状の本体の上部に取り付けられ、
前記配置状態において、前記ストラップ係留具の前記突起部の下辺と、前記円環状の本体の下部との間に形成される前記の略Ｃ字状の空間に、前記衣類側連結部が挿通されて、前記衣類側連結部が前記円環状の本体の下部に取り付けられており、
前記係留されたストラップの幅は、前記一定の空隙よりも大きいことを特徴とするストラップ取付構造。
【請求項２】
前記突起部が、略四角形状の基体部を含むことを特徴とする請求項１記載のストラップ取付構造。
【請求項３】
前記突起部の幅が、前記突起部の根元部から少なくとも前記先端部に向かう途中まで広がっていることを特徴とする請求項１記載のストラップ取付構造。
【請求項４】
前記突起部が、略半円状であることを特徴とする請求項１記載のストラップ取付構造。
【請求項５】
前記ストラップの幅が、前記ストラップ係留具の突起部の根元部の上部分と、前記円環状の本体の内周部における前記根元部の上部分に水平方向に対向する部分との間の幅よりも大きいことを特徴とする請求項１から４のいずれか一項に記載のストラップ取付構造。
【請求項６】
前記ストラップの幅が、前記円環状の本体の内径よりも１２〜２２％の範囲で短くなるように設定されていることを特徴とする請求項１から５のいずれか一項に記載のストラップ取付構造。
【請求項７】
請求項１から６のいずれか一項に記載のストラップ取付構造を含むことを特徴とするストラップを有する衣類。
【請求項８】
前記衣類がブラジャーであることを特徴とする請求項７記載の衣類。
【発明の詳細な説明】
【技術分野】
【０００１】
本発明は、ストラップ係留具、ストラップ取付構造およびストラップを有する衣類に関する。
【背景技術】
【０００２】
従来、例えばブラジャー等のストラップを有する衣類において、ストラップが肩からずり落ちるのを防ぐために、種々のストラップ係留具が使用されている。例えば、特許文献１では、三角形状のストラップ連結具を有するブラジャーが提案されている。前記特許文献１記載のストラップ連結具は、カップ部の上部に取り付けられる第１の辺部と、ストラップに取り付けられる第２の辺部とが、鋭角に傾斜することで、ストラップの延伸方向を左右のカップ部間の中心方向へ強制的に傾ける構成である。また、特許文献２には、図１７に示すＶ字状の傾斜溝を有する連結環が提案されている。前記特許文献２記載の連結環は、前記傾斜溝により、肩ひもの上部を人体中心側に付勢する構成である。
【先行技術文献】
【特許文献】
【０００３】
【特許文献１】特許第３２３２０１６号公報
【特許文献２】特開２０００−２２０００８号公報
【発明の概要】
【発明が解決しようとする課題】
【０００４】
しかし、前記特許文献１記載のストラップ連結具は、三角形状であるため、その角が肌にあたると違和感が生じていた。また、前記特許文献１記載のストラップ連結具は、ストラップを傾ける角度が一定に固定されるため、様々な体型および様々な体の動きにストラップが追従することができなかった。そして、前記特許文献２記載の連結環も、ストラップが前記傾斜溝に挿通されて取り付けられるため、ストラップを傾ける角度が前記傾斜溝の角度に固定され、様々な体型および様々な体の動きにストラップが追従することができなかった。
【０００５】
そこで、本発明は、ストラップが肩からずり落ちるのを防ぐことができ、肌にあたっても違和感を感じることがなく、さらに、様々な体型および様々な体の動きにストラップが追従できるストラップ係留具を提供することを目的とする。
【課題を解決するための手段】
【０００６】
前記目的を達成するために、本発明のストラップ係留具は、
ストラップを衣類に取り付けるためのストラップ係留具であって、
円環状の本体と、前記円環状の本体の内周部から突起している突起部とを含み、
前記突起部が設けられている部分を除いた前記円環状の本体の内周部は、円弧状であり、
前記突起部の先端部と、前記円環状の本体の内周部における前記先端部に対向する部分との間に一定の空隙が設けられていることを特徴とする。
【発明の効果】
【０００７】
本発明のストラップ係留具は、前記のような構成であるため、ストラップが肩からずり落ちるのを防ぐことができ、肌にあたっても違和感を感じることがなく、さらに、様々な体型および様々な体の動きにストラップが追従できる。
【図面の簡単な説明】
【０００８】
【図１】図１は、本発明の第１の実施形態に係るストラップ係留具１００を示す図である。図１（ａ）は、ストラップ係留具１００の正面図であり、図１（ｂ）は、ストラップ係留具１００の斜視図である。また、図１（ｃ）は、ストラップ係留具１００を図１（ａ）におけるＩ−Ｉ方向に見た断面図であり、図１（ｄ）は、ストラップ係留具１００を図１（ａ）におけるＩＩ−ＩＩ方向に見た断面図である。
【図２】図２は、本発明のストラップ取付構造の一例を示す図である。
【図３】図３は、本発明のストラップを有する衣類の一例の着用状態を、背面側から見た図である。
【図４】図４（ａ）〜（ｄ）は、前記第１の実施形態に係るストラップ係留具１００の大きさと、ストラップの幅との関係を説明する図である。
【図５】図５（ａ）および図５（ｂ）は、前記第１の実施形態に係るストラップ係留具１００の大きさと、ストラップの幅との関係を説明する図である。
【図６】図６（ａ）〜（ｃ）は、前記第１の実施形態に係るストラップ係留具の突起部のバリエーションの例を示す図である。
【図７】図７は、本発明のストラップ取付構造および本発明のストラップを有する衣類のその他の例を示す図である。
【図８】図８は、本発明の第２の実施形態に係るストラップ係留具２００を示す正面図である。
【図９】図９は、前記第２の実施形態に係るストラップ係留具２００を用いた場合のストラップの動きを説明する図である。
【図１０】図１０は、本発明の第３の実施形態に係るストラップ係留具３００を示す正面図である。
【図１１】図１１は、前記第３の実施形態に係るストラップ係留具３００を用いた場合のストラップの動きを説明する図である。
【図１２】図１２は、本発明の第４の実施形態に係るストラップ係留具４００を示す正面図である。
【図１３】図１３は、前記第４の実施形態に係るストラップ係留具４００を用いた場合のストラップの動きを説明する図である。
【図１４】図１４は、本発明の第５の実施形態に係るストラップ係留具５００を示す図である。図１４（ａ）は、ストラップ係留具５００の正面図であり、図１４（ｂ）は、ストラップ係留具５００の斜視図である。また、図１４（ｃ）は、ストラップ係留具５００を図１４（ａ）におけるＩＩＩ−ＩＩＩ方向に見た断面図であり、図１４（ｄ）は、ストラップ係留具５００を図１４（ａ）におけるＩＶ−ＩＶ方向に見た断面図である。
【図１５】図１５は、前記第５の実施形態に係るストラップ係留具５００を用いた場合のストラップの動きを説明する図である。
【図１６】図１６は、前記第５の実施形態に係るストラップ係留具５００の変形例を示す図である。
【図１７】図１７は、従来のストラップ連結具の一例を示す図である。
【発明を実施するための形態】
【０００９】
本発明について、例をあげて説明する。ただし、本発明は、以下の例に限定および制限されない。なお、下記図１〜図１６において、同一部分には同一の符号を付している。
【００１０】
（第１の実施形態）
図１に、本発明の第１の実施形態に係るストラップ係留具１００を示す。図１（ａ）は、ストラップ係留具１００の正面図であり、図１（ｂ）は、ストラップ係留具１００の斜視図である。図１（ａ）および図１（ｂ）に示すように、本実施形態のストラップ係留具１００は、円環状の本体（以下、単に「本体」ともいう。）１０１と、前記本体１０１の内周部１０１Ｃから突起している突起部１０２とを含む。また、図示のとおり、突起部１０２が設けられている部分を除いた前記本体１０１の内周部１０１Ｃは、円弧状である。そして、突起部１０２の先端部１０２Ａと、本体１０１の内周部１０１Ｃにおける前記先端部１０２Ａに対向する部分Ｐとの間には、一定の空隙Ｔが設けられている。また、本実施形態において、突起部１０２は、略半円状である。
【００１１】
図２および図３に、本発明のストラップ取付構造および本発明のストラップを有する衣類の一例を示す。図２および図３では、衣類がブラジャーである場合を例にあげて説明している。ただし、本発明のストラップ係留具は、これに限られず、例えば、キャミソール、ボディスーツ等の種々のストラップを有する衣類に適用できる。また、本例では、第１の実施形態に係るストラップ係留具１００を用いる場合を例にあげて説明しているが、後述する第２〜第５の実施形態に係るストラップ係留具も同様にして用いることができる。
【００１２】
図３は、本実施形態に係るストラップ係留具１００を用いたストラップ取付構造１を含むブラジャー１０の着用状態を、背面側から見た図である。また、図２は、図３における左側（着用者から見た左側）のストラップ取付構造１の拡大図である。図２および図３に示すように、ストラップ係留具１００は、ブラジャー１０の着用時において、突起部１０２の先端部１０２Ａが、首側に向くように配置される。
【００１３】
図２に示すように、ストラップ係留具１００を用いてストラップをブラジャーに取り付ける場合、まず、前記配置状態において、ストラップ係留具１００の突起部１０２の上辺と、本体１０１の上部１０１Ａとの間に形成される空間１０６に、ストラップ１０３の一端が挿通されて、ストラップ１０３の一端が本体１０１の上部１０１Ａに取り付けられる。ストラップ１０３の挿通の仕方は、例えば、ストラップ１０３の一端を前記空間１０６に通し、本体の上部１０１Ａに引っ掛けた状態で折り返し、折り返した部分の先端部をストラップ１０３の任意の位置に縫着する。また、ストラップ係留具１００の突起部１０２の下辺と、本体１０１の下部１０１Ｂとの間に形成される空間１０７に、衣類側連結部１０４が挿通されて、衣類側連結部１０４が本体１０１の下部１０１Ｂに取り付けられる。衣類側連結部１０４の挿通の仕方は、例えば、帯状の布材である衣類側連結部１０４の一端を前記空間１０７に通し、本体の下部１０１Ｂに引っ掛けて折り返し、バック部１０５の上部に固着する（図３参照）。なお、「上」「下」とは、着用状態の上下方向をいい、「左」「右」とは、前から見た左右でも後から見た左右でもよい。
【００１４】
図２および図３に示すように、本実施形態に係るストラップ係留具１００を用いてストラップ１０３を取り付けると、突起部１０２がストッパーとなり、ストラップ１０３の体の外側（図２および図３に示す破線矢印Ｓ１の方向）への摺動が阻止される。そのため、ストラップ１０３が身体の外側へ傾くのを防ぐことができ、ストラップが肩からずれ落ちるのを防止することができる。
【００１５】
また、前述のように、本実施形態に係るストラップ係留具１００は、突起部１０２の先端部１０２Ａと、本体１０１の内周部１０１Ｃにおける前記先端部１０２Ａに対向する部分Ｐとの間に、一定の空隙Ｔが設けられている。さらに、突起部１０２が設けられている部分を除いた本体１０１の内周部１０１Ｃは、円弧状である。これにより、ストラップ１０３および衣類側連結部１０４は、本体１０１の突起部１０２を除く部分において、自由に摺動可能となる。すなわち、ストラップ１０３は、首側（体の内側、図２および図３に示す実線矢印Ｙ１の方向）には自由に摺動できる。そのため、ストラップ係留具１００によれば、ストラップ１０３の位置および方向は固定されず、着用者の体型および体の動きに応じて追従することができる。また、衣類側連結部１０４も、体の内側（図２および図３に示す実線矢印Ｙ２の方向）に摺動可能であるため、ストラップのみが摺動する場合よりも、さらに体型および動きに対するストラップの追従性を高めることができる。ここで、「体型」とは、例えば、肩幅、並びに、いかり肩およびなで肩等の肩の形状等を含む。
【００１６】
そして、本実施形態に係るストラップ係留具１００は、円環状であるため、外周部に角がなく、肌にあたっても違和感が生じない。ここで、「円環」とは、真円および楕円を含む。また、前述のとおり、突起部１０２が設けられている部分を除いた本体１０１の内周部１０１Ｃは円弧状であるが、この場合の「円」とは、真円および楕円を含む。
【００１７】
このように、本発明のストラップ係留具によれば、ストラップが肩からずり落ちるのを防ぐことができ、肌にあたっても違和感を感じることがなく、さらに、様々な体型および様々な動きにストラップが追従できる。
【００１８】
なお、図２および図３では、衣類側連結部１０４が帯状の布材で形成されている場合について説明したが、本発明はこれに限定されない。本発明において、衣類側連結部には、例えば、帯状の布材等の帯状部材の他、紐状の布材等の紐状部材等を使用することもできる。また、本発明のストラップ係留具は、前記円環状の本体の上部および下部の両方に、それぞれストラップが取り付けられるようにして用いてもよい。この場合、前記本体の下部に取り付けられたストラップが、前述の衣類側連結部となる。前記本体の下部に取り付けられたストラップは、直接衣類に固着されていてもよいし、例えば、円環、Ｚ環、エイト環等の係止具によって衣類に固着されていてもよい。
【００１９】
また、図３では、ストラップ取付構造１をバック部１０５の上部に有するブラジャーについて説明したが、本発明はこれに限られない。本発明のストラップ係留具は、図７に示すようにカップ部の上部に用いることもできるし、バック部の上部およびカップ部の上部の両方に用いることもできる。
【００２０】
本実施形態において、ストラップ係留具１００は、図１における軸Ｘに対し上下対称に形成されているが、本発明はこれに限られない。例えば、本発明において、円環状の本体は、一方に片寄った扁平な円形であってもよい。
【００２１】
本実施形態において、突起部１０２は、略半円状である。これにより、ストラップ係留具１００は、角となる部分を有さないため、突起部のどの部分が肌にあたっても、違和感が生じることがない。また、図１（ｃ）に、ストラップ係留具１００を図１（ａ）におけるＩ−Ｉ方向に見た断面図を示し、図１（ｄ）に、ストラップ係留具１００を図１（ａ）におけるＩＩ−ＩＩ方向に見た断面図を示す。図１（ｃ）および図１（ｄ）に示すように、本実施形態では、円環状の本体１０１の断面形状が平らに押しつぶしたような扁平な楕円形であり、また、突起部１０２の縁部も丸みを帯びているため、肌にあたっても違和感を感じることはない。ただし、本発明はこれに限られず、突起部は、例えば三角形状であってもよい。
【００２２】
本発明において、ストラップ係留具の円環状の本体の大きさは、特に制限されず、例えば、使用するストラップの幅等に応じて適宜決定することができる。
【００２３】
以下に、ストラップの幅と本実施形態に係るストラップ係留具１００の大きさとの関係について、例をあげて説明する。まず、図４（ａ）〜（ｄ）において、ストラップ１０３の幅Ｗを、ストラップ係留具１００の突起部１０２の根元部の上部分Ｒと、本体１０１の内周部１０１Ｃにおける前記根元部の上部分Ｒに水平方向に対向する部分Ｑとの間の幅Ｌよりも大きくした場合について説明する。「根元部」とは、突起部が円環状の本体と結合している部分をいう。この場合、ストラップ１０３が肩にフィットしている状態では、図４（ａ）および図４（ｂ）に示すように、ストラップ１０３はまっすぐ上方に伸びた状態で取り付けられる。そして、前述のとおり、ストラップ１０３は体の外側への摺動が阻止されるため、肩からずれ落ちるのを防ぐことができる。一方、ストラップ１０３が肩から浮くなど緩んだ状態では、図４（ｃ）に示すように、ストラップ１０３の首側の端部１０３Ａが下方に下がるため、ストラップ１０３は、首側へ傾斜する。このとき、着用状態は、図４（ｄ）に示すように、ストラップ１０３が首側に傾いた状態となる。このように、ストラップ１０３が緩んだ状態であっても、ストラップ１０３が首側に傾斜するとともに、身体の外側への摺動が阻止されるため、肩からずれ落ちるのを防ぐことができる。
【００２４】
なお、図４（ａ）および図４（ｂ）では、ストラップが肩にフィットしている状態において、ストラップが首側に傾斜せずまっすぐに取り付けられている態様について説明したが、この場合でも、ストラップを首側に傾ける力が働いているため、ストラップが首側に傾くこともありうる。一方、図４（ｃ）および図４（ｄ）では、ストラップが緩んだ状態において、ストラップが首側に傾く態様について説明したが、この場合でも、ストラップの位置を調整し、ストラップがまっすぐに取り付けられている状態に戻すことができる。このように、本発明のストラップ係留具によれば、ストラップが肩からずれ落ちることを防ぎつつ、ストラップの位置をフレキシブルに動かすことができ、着用者の体型および動きに応じて、最適な位置に追従させることが可能である。
【００２５】
次に、ストラップの幅Ｗを、前記本体１０１の幅Ｌと同じか、前記本体１０１の幅Ｌよりも小さくした場合について説明する。この場合、ストラップ１０３が肩にフィットしている状態では、図５（ａ）に示すように、ストラップ１０３は、まっすぐ上方に伸びた状態で取り付けられる。そして、前述のとおり、ストラップ１０３は体の外側への摺動が阻止されるため、肩からずれ落ちるのを防ぐことができる。一方、ストラップ１０３が緩んだ状態では、図５（ｂ）に示すように、ストラップ１０３が身体の外側へ摺動するのが阻止される結果、首側に傾く。このため、ストラップ１０３が緩んだ状態であっても、肩からずれ落ちるのを防ぐことができる。なお、この場合も、ストラップの位置はフレキシブルに動かすことができ、着用者の体型および動きに応じて、最適な位置に追従させることが可能である。
【００２６】
本発明において、ストラップ係留具に使用できる素材は、特に制限されないが、例えば、金属、プラスチック等があげられる。
【００２７】
本発明において、突起部の高さは、特に制限されず、ストラップの摺動を阻止できる程度の高さであればよい。したがって、突起部の高さは、円環状の本体の大きさまたはストラップの幅等によって適宜決定することができ、一例としてストラップの厚みに相当する長さ以上となるように突起部の高さを設定してもよい。
【００２８】
また、本発明において、ストラップの幅は、例えば、円環状の本体の直径よりも少し短くなるように設定することが好適である。より具体的には、前記本体の直径が１０〜１４ｍｍである場合には、前記本体の直径より１２〜２２％程度、より好ましくは１５〜１９％程度短くなるようにストラップの幅を設定することがあげられる。この場合には、着用状態で前記本体と、ストラップの幅方向の両端部分との間に、ストラップの幅方向中央に向かう大きな押圧力が作用し易くなる。このため、ストラップが前記本体とほぼ均等に全幅に亘って接するようにストラップの幅を狭くした場合と比較して、ストラップは左右にぶれにくい状態に保たれる。また、上記のように、ストラップの幅を円環状の本体の直径よりも多少短くすることによって、前記本体にストラップを挿通し易いというメリットも得られる。なお、前記円環状の本体の直径とは、突起部が無いと仮定した場合の円環状の本体の内径を意味する。また、円環状の本体が楕円状を呈する場合には、同様に突起部が無いと仮定した場合の長軸または短軸のいずれかを基準にストラップの幅を上記設定範囲内で短くするようにすればよい。
【００２９】
本発明において、突起部の先端部と、前記円環状の本体の内周部における前記先端部に対向する部分との間の一定の空隙Ｔの大きさは、特に制限されず、ストラップ係留具の大きさまたは使用するストラップの幅等によって適宜決定することができる。例えば、円環状の本体の直径が１２ｍｍの場合、空隙Ｔは、１ｍｍ〜８ｍｍの範囲が好ましく、より好ましくは３ｍｍ〜５ｍｍの範囲である。また、前記本体に係留させる部材として帯状のストラップを想定した場合、そのストラップの幅は８ｍｍ〜１２ｍｍの範囲に設定することが好ましい。
【００３０】
本発明において、突起部の内部には、様々なデザインが施されていてもよい。例えば、図６（ａ）〜（ｃ）に示すように、突起部の形状に沿った略半円形、円形または星型等の様々な形の中空部を設けてもよい。
【００３１】
（第２の実施形態）
図８に、本発明の第２の実施形態に係るストラップ係留具２００の正面図を示す。図８に示すように、本実施形態のストラップ係留具２００では、突起部２０２が三角形状である。
【００３２】
ストラップ係留具２００は、衣類の着用時において、突起部２０２の先端部２０２Ａが首側に向くように配置される。本実施形態に係るストラップ係留具２００を用いてストラップを衣類に取り付けると、図９に示すように突起部２０２がストッパーとなり、ストラップ２０３の体の外側（図９に示す破線矢印Ｓ２の方向）への摺動が阻止される。そのため、ストラップ２０３が体の外側へ傾くのを防ぐことができ、ストラップが肩からずれ落ちるのを防止することができる。また、前記第１の実施形態と同様、本実施形態においても、突起部２０２の先端部２０２Ａと、本体１０１の内周部１０１Ｃにおける前記先端部２０２Ａに対向する部分Ｐとの間に一定の空隙Ｔが設けられており、さらに、突起部２０２が設けられている部分を除いた本体１０１の内周部１０１Ｃは円弧状であることから、ストラップ２０３および衣類側連結部２０４は、体の内側（図９における実線矢印Ｙ３およびＹ４）には、自由に摺動可能である。そのため、ストラップ２０３の位置および方向は固定されず、着用者の体型および体の動きに応じて追従することができる。本実施形態において、突起部２０２は三角形状であるが、ストラップ係留具２００の本体１０１は円環状であるため、肌にあたっても違和感は生じない。その他の説明は、前記第１の実施形態と同様である。このように、本発明に係るストラップ係留具は、デザイン等に応じて、突起部の態様を適宜決定することができる。
【００３３】
（第３の実施形態）
図１０に、本発明の第３の実施形態に係るストラップ係留具３００の正面図を示す。図１０に示すように、本実施形態のストラップ係留具３００では、突起部３０２が、略４分の３円状である。
【００３４】
本実施形態のストラップ係留具３００では、前述のとおり、突起部３０２が略４分の３円状となっている。これにより、突起部３０２の幅が、根元部から先端部に向かう途中まで広がっている。すなわち、図１０に示すように、突起部３０２の根元部の幅Ｍ１より、先端部に向かう途中の位置の幅Ｍ２の方が広くなっている。これにより、図１１に示すように、ストラップ３０３が突起部３０２の根元部近傍Ｕで引っかかるため、ストラップ３０３の体の外側の端部３０３Ｂが、突起部３０２を乗り越えて突起部３０２の下方に下がるのを防ぐことができる。その他の説明は、前記第１の実施形態と同様である。
【００３５】
なお、本発明において、突起部の幅は、根元部から先端部に向かう途中までではなく、根元部から先端部に向けて広がっていてもよい。
【００３６】
（第４の実施形態）
図１２に、本発明の第４の実施形態に係るストラップ係留具４００の正面図を示す。図１２に示すように、本実施形態のストラップ係留具４００では、突起部４０２が、根元部の両側にスリット４０８を有する三角形状となっている。
【００３７】
突起部４０２の根元部にスリット４０８を入れることにより、図１３に示すように、ストラップ４０３がスリット４０８で引っかかるため、ストラップ４０３の体の外側の端部４０３Ｂが、突起部４０２を乗り越えて突起部４０２の下方に下がるのを防ぐことができる。その他の説明は、前記第１および第２の実施形態と同様である。
【００３８】
（第５の実施形態）
図１４に、本発明の第５の実施形態に係るストラップ係留具５００を示す。図１４（ａ）は、ストラップ係留具５００の正面図であり、図１４（ｂ）は、ストラップ係留具５００の斜視図である。図１４（ａ）および図１４（ｂ）に示すように、本実施形態のストラップ係留具５００では、突起部５０２が、略四角形状の基体部（以下「土台部」ともいう。）５０２Ｂと、略半円状の先端部側端部５０２Ｃとを含む。ここで、「先端部側端部」とは、先端部を含む先端部近傍の部分をいう。
【００３９】
本実施形態において、突起部５０２の土台部５０２Ｂと先端部側端部５０２Ｃとは、一体で形成されている。本実施形態において、突起部５０２の長さＨ（図１４（ｃ）においてＨで示す、突起部の先端部５０２Ａから本体部１０１の外周部にかけての長さ）は、特に制限されないが、例えば、本体１０１の直径が１３ｍｍの場合、３ｍｍ〜１１ｍｍの範囲が好ましく、より好ましくは４ｍｍ〜１０ｍｍの範囲である。そして、この場合、図１４（ｄ）に示す土台部５０２Ｂの部分の幅Ｎは、例えば、３ｍｍ〜１１ｍｍの範囲が好ましく、より好ましくは、５ｍｍ〜９ｍｍの範囲である。
【００４０】
ストラップ係留具５００は、衣類の着用時において、突起部５０２の先端部５０２Ａが首側に向くように配置される。本実施形態に係るストラップ係留具５００を用いてストラップを衣類に取り付けると、図１５に示すように突起部５０２がストッパーとなり、ストラップ５０３の体の外側（図１５に示す破線矢印Ｓ３の方向）への摺動が阻止される。そのため、ストラップ５０３が体の外側へ傾くのを防ぐことができ、ストラップが肩からずれ落ちるのを防止することができる。また、前記第１〜第４の実施形態と同様、本実施形態においても、突起部５０２の先端部５０２Ａと、本体１０１の内周部１０１Ｃにおける前記先端部５０２Ａに対向する部分Ｐとの間に一定の空隙Ｔが設けられており、さらに、突起部５０２が設けられている部分を除いた本体１０１の内周部１０１Ｃは円弧状であることから、ストラップ５０３および衣類側連結部５０４は、体の内側（図１５における実線矢印Ｙ５およびＹ６）には、自由に摺動可能である。そのため、ストラップ５０３の位置および方向は固定されず、着用者の体型および体の動きに応じて追従することができる。
【００４１】
本実施形態において、突起部５０２は、先端部側端部５０２Ｃが略半円状である。これにより、ストラップ係留具５００は、角となる部分を有さないため、突起部５０２のどの部分が肌にあたっても、違和感が生じることはない。また、図１４（ｃ）に、ストラップ係留具５００を図１４（ａ）におけるＩＩＩ−ＩＩＩ方向に見た断面図を示し、図１４（ｄ）に、ストラップ係留具５００を図１４（ａ）におけるＩＶ−ＩＶ方向に見た断面図を示す。図１４（ｃ）および図１４（ｄ）に示すように、本実施形態では、円環状の本体１０１の断面形状が平らに押しつぶしたような扁平な楕円形であり、また、突起部５０２の縁部も丸みを帯びているため、肌にあたっても違和感を感じることはない。本実施形態のその他の説明は、前記第１の実施形態と同様である。
【００４２】
本実施形態において、突起部５０２の内部には、楕円形の中空部が設けられている。ただし、本発明はこれに限られず、図１６に示すように、突起部５０２は中空部を有さない態様であってもよい。さらに、突起部５０２の内部には、楕円形の他、例えば、真円形または星形等の様々な形の中空部を設けてもよい。
【産業上の利用可能性】
【００４３】
本発明のストラップ係留具は、ストラップが肩からずり落ちるのを防ぐことができ、肌にあたっても違和感を感じることがなく、さらに、様々な体型および様々な体の動きにストラップを追従させることができ、その用途は限定されず広い分野で使用することができる。
【符号の説明】
【００４４】
１００、２００、３００、４００、５００  ストラップ係留具
１０１  円環状の本体
１０１Ａ  円環状の本体の上部
１０１Ｂ  円環状の本体の下部
１０１Ｃ  円環状の本体の内周部
１０２、２０２、３０２、４０２、５０２  突起部
１０２Ａ、２０２Ａ、５０２Ａ  突起部の先端部
５０２Ｂ  土台部（基体部）
５０２Ｃ  先端部側端部
１０３、２０３、３０３、４０３、５０３  ストラップ
１０４、２０４、５０４  衣類側連結部
１０５  バック部
１０６  ストラップ係留具の突起部の上辺と、円環状の本体の上部との間に形成される空間
１０７  ストラップ係留具の突起部の下辺と、円環状の本体の下部との間に形成される空間
４０８  スリット
１  ストラップ取付構造
１０  ブラジャー
【要約】
【課題】  ストラップが肩からずり落ちるのを防ぐことができ、肌にあたっても違和感を感じることがなく、さらに、様々な体型および様々な体の動きにストラップが追従できるストラップ係留具を提供する。
【解決手段】  本発明のストラップ係留具１００は、ストラップを衣類に取り付けるためのストラップ係留具であって、円環状の本体１０１と、円環状の本体１０１の内周部１０１Ｃから突起している突起部１０２とを含み、突起部１０２が設けられている部分を除いた円環状の本体１０１の内周部１０１Ｃは、円弧状であり、突起部１０２の先端部１０２Ａと、前記円環状の本体の内周部１０１Ｃにおける前記先端部１０２Ａに対向する部分Ｐとの間に一定の空隙Ｔが設けられていることを特徴とする。
【選択図】  図１【図１】
0005495084.tif 000002
【図２】
0005495084.tif 000003
【図３】
0005495084.tif 000004
【図４】
0005495084.tif 000005
【図５】
0005495084.tif 000006
【図６】
0005495084.tif 000007
【図７】
0005495084.tif 000008
【図８】
0005495084.tif 000009
【図９】
0005495084.tif 000010
【図１０】
0005495084.tif 000011
【図１１】
0005495084.tif 000012
【図１２】
0005495084.tif 000013
【図１３】
0005495084.tif 000014
【図１４】
0005495084.tif 000015
【図１５】
0005495084.tif 000016
【図１６】
0005495084.tif 000017
【図１７】
0005495084.tif 000018